(57)【特許請求の範囲】
【請求項１】
原稿トレイから排出トレイに至る原稿搬送路をＵ字状に構成し、前記Ｕ字状に湾曲させた原稿搬送路に沿って原稿を搬送する途中で、原稿の画像を読み取る装置において、
前記Ｕ字状の原稿搬送路の内側のガイドを設けた中間フレームと、前記原稿搬送路の上側のガイドを設けた上部フレームとを、１つの共通の支軸を介して開閉可能に構成し、前記２つのフレームを相互に係止する手段を設けるとともに、
前記上部フレームと中間フレームの間に設ける係止手段では、相互に遊びを有するものとして構成することを特徴とする原稿搬送装置。
【請求項２】
前記開閉可能な上部フレームにはピックアップローラ、給紙ローラ、および搬送ローラ装置の押圧ローラを配置するとともに、前記中間フレームにはリタードローラ、搬送ローラ、および排出ローラ装置の１つのローラを配置し、
前記上部フレームには、前記フレームを閉じた状態を維持するためのロック部材を設けることを特徴とする請求項１に記載の原稿搬送装置。
【発明の詳細な説明】
【０００１】
【発明の属する技術分野】
本発明は、画像読取装置における上部カバーの開閉機構に関し、特に、用紙のジャム等が発生した際に、上部フレームを用紙の除去可能な程度だけ開く状態に保持可能で、読取部等に対するメンテナンス時には、共通の支軸を介して２つのフレームを同時に開き得る装置に関する。
【０００２】
【従来の技術】
ファクシミリ装置や複写機等の画像読取装置に対する自動原稿搬送装置においては、原稿トレイと排出トレイとを接続する原稿搬送路の途中に、原稿の画像を読み取る装置を配置している。そして、原稿トレイにセットした原稿を、原稿トレイに対応する位置に設けた原稿さばき装置を用いて１枚ずつ分離し、原稿搬送路内を一定の速度で搬送しながら、読取部で原稿の画像を読み取り、その読取った画像情報を装置本体の画像情報処理部に伝達する手段を設けている。前記原稿搬送装置においては、原稿搬送路内で原稿のジャム等が発生した場合に、その原稿を取出し得るように、ローラ装置のニップを解除するための手段が設けられている。
【０００３】
前記原稿搬送装置に略Ｕ字状の原稿搬送路を設けた場合には、原稿搬送路の上部に設けたカバー部材としての上部フレームを開いて原稿搬送路の上部を開放する手段を用いるが、それとともに、中間フレームを少しだけ揺動させて原稿搬送路の下部を開放可能に構成していることが多い。また、画像読取部等に対するメンテナンスを行う場合には、読取部の上部のフレームを全部揺動させて、下部のフレームに設けたプラテンやガイド板等を露出させることができるようにしている。
【０００４】
【発明が解決しようとする課題】
前記原稿搬送路をＵ字状に構成してなる原稿搬送装置において、通常の使用状態では、上部フレームをロックレバーを介して閉じる状態に設定し、原稿の搬送を行うようにしている。また、原稿搬送路内で原稿のジャム等が発生した場合に、上部フレームを開いた状態で原稿を除去する作業を行うが、前記上部フレームは大きく開く必要がなく、対向するローラ間で用紙を引き出し得る程度だけ開放すれば良い。ところが、従来の装置では、上部フレームを大きく開いた状態でジャム紙を除去する必要があり、また、装置の下部に配置している読取部のメンテナンスを行う際には、中間フレームを開く必要があり、オペレータには繁雑な開閉作業を強いるという問題がある。
【０００５】
本発明は、前述したような従来の装置の欠点を解消するもので、２つのフレームを共通の軸を介して支持し、両フレームを連動させる手段を設けたことにより、用紙搬送路の開放を容易に行い得るとともに、読取部等のメンテナンスに際しては２つのフレームを同時に大きく開き得る装置を提供することを目的としている。
【０００６】
【課題を解決するための手段】
本発明は、原稿トレイから排出トレイに至る原稿搬送路をＵ字状に構成し、前記Ｕ字状に湾曲させた原稿搬送路に沿って原稿を搬送する途中で、原稿の画像を読み取る装置に関する。
請求項１の発明は、前記Ｕ字状の原稿搬送路の内側のガイドを設けた中間フレームと、前記原稿搬送路の上側のガイドを設けた上部フレームとを、１つの共通の支軸を介して開閉可能に構成し、前記２つのフレームを相互に係止する手段を設けるとともに、前記上部フレームと中間フレームの間に設ける係止手段では、相互に遊びを有するものとして構成することを特徴とする。
請求項２の発明は、前記開閉可能な上部フレームにはピックアップローラ、給紙ローラ、および搬送ローラ装置の押圧ローラを配置するとともに、前記中間フレームにはリタードローラ、搬送ローラ、および排出ローラ装置の１つのローラを配置し、
前記上部フレームには、前記フレームを閉じた状態を維持するためのロック部材を設けることを特徴とする。
【０００７】
前述したように構成したことにより、本発明においては、前記２つのフレームを連動させて開閉することができるので、原稿搬送路の開閉の動作を容易に行うことができる。また、前記上部フレームと中間フレームの間に設ける係止手段は、相互に遊びを有するものとして構成することにより、原稿搬送路内でのジャム紙の処理等を行う際には、上部フレームを開くことによって、中間フレームも隙間を形成しながら開かれるので、特に大きく開かない状態でも、ジャム紙の引き出しを容易に行うことができ、ジャム処理の動作を簡素化することが可能となる。さらに、前記各フレームに対してローラ装置を構成する２つのローラ部材のうちの１つづつをそれぞれ配置し、フレームを揺動させることにより、ローラ装置によるニップを自動的に開放可能となる。そして、上部フレームにのみ、装置本体とのロック手段を設けていることにより、上部フレームを閉じた状態で、原稿搬送路の各ローラ装置が作動状態に設定されるために、ローラ装置の調整等を行う必要がない。
【０００８】
【発明の実施の形態】
図示される例にしたがって、本発明の原稿搬送装置の構成を説明する。本発明の原稿搬送路の開閉装置は、図１に示すような構成を有する画像読取装置１に適用可能であり、前記画像読取装置は複写機やファクシミリ装置等に組み合わせて設けることができる。前記画像読取装置１においては、走査装置２は一般の複写機の走査装置に用いられている装置と同様に、そのフレームの上部には、ブックものの原稿を載置し、フラットベッドスキャナー（ＦＢＳ）としての動作に対応させるプラテン３ａと、自動原稿搬送装置（ＡＤＦ）に対応させて、Ｕ字型原稿搬送路１４の下部に配置するプラテン３とを設けている。前記プラテン３ａに対しては、原稿カバー部材１５を開いて原稿をセットし、前記原稿カバー部材を閉じることにより、押圧パッド１６がプラテン３ａの上面に原稿の画像面を押圧させて、固定位置にセットした原稿の走査を行う。また、原稿トレイ１８を用いてシートものの原稿の走査を行う際には、ＡＤＦに対する原稿搬送路１４を通して原稿を搬送しながら、プラテン３の部分に配置する走査装置を用いて画像の読取りの動作を行う。
【０００９】
前記走査装置２において、プラテンの下面に配置する読取り装置は、プラテン３ａの長さ方向全体に移動し、ランプ４ａとミラーｍ１を配置するフルレートキャリッジ４と、２つのミラーｍ２、ｍ３を設け、その半分の距離を移動するハーフレートキャリッジ５とを配置している。前記２つのキャリッジの駆動を行うために、径が２：１に設定された駆動プーリ６、６ａを同軸に配置し、各々の駆動プーリに巻き掛けたワイヤ或いはタイミングベルト等の駆動伝導部材７、７ａを介して駆動する。そして、前記プラテン３ａにセットした原稿に対しては、図示を省略したセンサの検知情報に応じて、フルレートキャリッジ４が原稿の走査方向の長さだけ往復移動し、ハーフレートキャリッジ５が前記フルレートキャリッジの半分の速度で移動しながら画像情報の読取りを行い、ＣＣＤレンズ８を用いてＣＣＤ９に光を結像し、前記ＣＣＤ９においては、光信号を電気信号として変換した画像信号を出力する。
【００１０】
前記ＡＤＦ機能を用いた画像の走査機構は、原稿トレイ１８に対してピックアップローラ２１を配置し、その下流部に給紙ローラ２２とリタードローラ２４とを対向させて設けた用紙さばき装置を配置する。前記用紙さばき装置から１枚ずつ分離されて送られる原稿は、Ｕ字型の原稿搬送路１４の湾曲部に設ける搬送ローラ２６に対して複数の押圧ローラ２８により押圧しながら搬送し、プラテン３における走査部を通り、排出ローラ装置２９から排出トレイ１７に向けて排出される。前記上部フレーム１１には原稿搬送路の外側のガイド板と、給紙ローラ２２、押圧ローラ２８を配置しており、中間フレーム１３には原稿搬送路の内側のガイド板とリタードローラ２４、搬送ローラ２６および排出ローラ装置の１つのローラとを配置している。そして、前記ローラ装置により原稿搬送路１４内での原稿の搬送を行い、その原稿の搬送の途中で、プラテン３の部分で原稿の画像の読取りを行うようにしている。
【００１１】
前記自動原稿搬送装置１０においては、走査装置２の固定フレームに対して、共通の支軸１２を介して揺動可能な上部フレーム１１と中間フレーム１３とを設けており、前記上部フレーム１１を大きく開いた状態では、図の鎖線で示されるように大きく開放された状態となる。また、前記上部フレーム１１と中間フレーム１３との間に連動手段を設ける場合には、上部フレーム１１を大きく開くことにより、中間フレーム１３も連動して開かれ、装置本体の下部機構を露出させることができる。前記自動原稿搬送装置１０において、原稿搬送路内でのジャムが発生した場合に、そのジャム紙を引き出すためには、各ローラ装置の対向するローラの間に用紙を引き出す程度の隙間が形成されれば、用紙の引き出しの動作を行うことが可能になる。そこで、前記図１に示したように、上部フレーム１１等を大きく開かずに、図２に示すように、対向するローラの間隔を開ける程度に、上部フレーム１１と中間フレーム１３とを、支軸１２を介して反時計方向に揺動させるようにしている。
【００１２】
前記図２に示すように、２つのフレーム１１、１３を支軸１２を介して揺動させた状態では、用紙搬送路に配置する搬送ローラ装置のうち、給紙ローラ２２がリタードローラ２４から離間し、搬送ローラ２６から押圧ローラ２８が離間する。また、排出ローラ装置２９の２つのローラも離間する状態となるので、前記原稿搬送路１４内で停止している原稿の先端部または後端部のいずれかが原稿搬送路の端部に露出していると、その露出部を引っ張ることにより、原稿搬送路から容易に取り出すことができる。
【００１３】
前記図２に示したように、原稿搬送路内で原稿の紙詰まり（ジャム）が発生した際に、原稿搬送路でのローラ装置のニップを開放して、その原稿を引き出すために本発明においては、図３以降の説明図に示すように、上部フレーム１１と中間フレーム１３とを係止部５０を介して組み合わせている。また、前記２つのフレーム１１、１３においては、図３の組立図と、図４の分解説明図に示すように、共通の支軸１２を介して揺動可能に設け、さらに、前記係止部５０を介して上部フレーム１１を開いた際に、中間フレーム１３との間に原稿の通過を許容できる程度の隙間５７を形成可能にしている。前記係止部５０には、上部フレーム１１のフレーム部材１１ｂの側部にアーム部材５１を配置しており、中間フレーム１３の側部には、前記アーム部材に設けた突出部材５３に対応する係止凹部５６を設けている。そして、前記突出部材５３を係止凹部５６に装着した際に、係止凹部５６内部で突出部材５３が隙間５７を持つ大きさのものとして形成されることにより、上部フレーム１１を支軸１２を介して開く方向に揺動させた際に、中間フレーム１３がその隙間の間隔だけ遊びを持った状態で揺動される。
【００１４】
前記図３、４に示す例において、前述したように、上部フレーム１１と中間フレーム１３とは本体フレームに設けた支軸１２を介して揺動可能に設けられており、前記上部フレーム１１と中間フレーム１３とを連動させて開閉するために、係止部５０を設けている。また、前記上部フレーム１１に配置するロックレバー４０は、本体フレームの側板に形成する案内部材に対して配置しているもので、図示を省略するが、上部フレーム１１を閉じた状態での固定と、開いた位置での固定保持の作用を、前記ロックレバー４０を用いて行わせるようにする。前記ロックレバー４０は上部フレーム１１の開放側の端部に設けているロックハンドル４３に連動して、支軸４１を介して揺動されるもので、前記レバー４０の下端部にはロックピン４２を配置し、装置の本体フレームに設けた案内手段に沿わせてロックピン４２を移動させ、上部フレームの固定と開放位置での支持とを行わせる。
【００１５】
前記２つのフレーム１１、１３を連動させるための係止部５０は、図５に示されるように構成されているもので、上部フレーム１１の側部から下部に向けて取付部５２を介して、弾性を有するプラスチック材料により構成したアーム部材５１を突出させて設けている。前記アーム部材５１の下部には中間フレーム１３の側部に向けて突出部材５３を突出させて設け、その突出部材には下方に傾斜させた斜面部５５を設けて、突出部材を中間フレーム１３の係止部５６ａの凹部５６に挿入する際の案内部として形成する。なお、前記突出部材に設ける貫通孔５４は、部材の軽量化を図るとともに、前記突出部材を係止凹部に着脱する際の弾性変形に対処させるものであるから、その目的に対応させるために、プラスチック材料の性質に応じて、任意の大きさの孔を設けることができる。
【００１６】
また、前記係止凹部５６は、突出部材５３の高さよりも隙間５７の間隔だけ大きく構成しており、突出部材５３を係止凹部５６に係合させたままで、上部フレーム１１を揺動させた際には、前記隙間５７の間隔だけ、中間フレーム１３が隙間をもって開かれるので、前記図２に示したように、原稿搬送路の開放を維持した状態で開かれるようになる。さらに、上部フレーム１１と中間フレーム１３との係合を外して、２つのフレームを別個に揺動させようとする場合には、中間フレーム１３を固定したままで、上部フレーム１１を離間させる動作を行うが、その際には、突出部材５３の上部に所定の円弧面を形成しておくことにより、アーム部材５１の弾性により、前記アーム部材を無理に揺動させて係合状態から開放することができる。
【００１７】
前記２つのフレーム１１、１３を自動原稿搬送装置の本体フレーム３０に対して揺動させて開いた状態は、図６に示されるもので、前記２つのフレームを支軸１２を介して開くことにより、本体フレーム３０に設けた原稿搬送路のガイド部材を露出させることができる。前記本体フレーム３０にはプラテン３を設けて、そのプラテンに対応する位置に、読取り装置を固定配置することにより、原稿の画像の読取りを行うもので、前記プラテン３の上流部には、原稿から遊離した異物等を一時収容しておくための凹部３１を設けることができる。前記凹部３１には、搬送ローラの湾曲部で原稿が湾曲された際に原稿から遊離した消しゴムの屑、ローラゴムのけずれかすやその他の異物を落下させて収容できるので、それ等がプラテンに付着して読み取った画像に汚れ等が生じることを防止できる。
【００１８】
なお、前記２つのフレームを連動させる係止部５０の各部材と、上部フレームを本体フレームに対して案内するためのロックレバー４０等の部材は、装置フレームの両側に配置されるもので、同一の機構のものを各々配置できる。また、本体フレームと上部フレーム、および中間フレームのそれぞれには、図２に示すようなローラ部材を配置するが、そのローラ部材の配置は、各フレームを所定の角度ずつ開いた状態で、原稿に対するニップを開放することができるように形成される。
【００１９】
【発明の効果】
本発明の原稿搬送装置は、前述したように構成しているものであるから、前記２つのフレームを相互に係止する手段を設けたことにより、前記２つのフレームを連動させて開閉することができるので、原稿搬送路の開閉の動作を容易に行うことができる。また、前記上部フレームと中間フレームの間に設ける係止手段は、相互に遊びを有するものとして構成することにより、原稿搬送路内でのジャム紙の処理等を行う際には、上部フレームを開くことにより、中間フレームも隙間を形成しながら開かれるので、特に大きく開かない状態でも、ジャム紙の引き出しを容易に行うことができ、ジャム処理の動作を簡素化することが可能となる。さらに、前記各フレームに対してローラ装置を構成する２つのローラ部材のうちの１つづつをそれぞれ配置し、フレームを揺動させることにより、ローラ装置によるニップを自動的に開放可能となる。そして、上部フレームにのみ、装置本体とのロック手段を設けていることにより、上部フレームを閉じた状態で、原稿搬送路の各ローラ装置が作動状態に設定されるために、ローラ装置の調整等を行う必要がない。
【図面の簡単な説明】
【図１】  本発明を適用可能な装置の構成を示す説明図である。
【図２】  図１の装置の２つのフレームを開いた状態の説明図である。
【図３】  前記２つのフレームを組み合わせた状態の説明図である。
【図４】  前記２つのフレームの分割説明図である。
【図５】  前記２つのフレームの固定部の構成の説明図である。
【図６】  本体フレームに対して前記２つのフレームを揺動させる状態の説明図である。
【符号の説明】
１    画像読取装置、  ２    走査装置、  ３    プラテン、
８    レンズ、  ９    ＣＣＤ、  １０    自動原稿搬送装置、
１１    上部フレーム、  １２    支軸、  １３    中間フレーム、
１４    原稿搬送路、  １８    原稿トレイ、
２１    ピックアップローラ、  ２２    給紙ローラ、
２６    搬送ローラ、  ３０    本体フレーム、  ３１    凹溝、
４０    ロックレバー、  ４１    支点、  ４２    ロックピン、
４３    ロックハンドル、  ５０    係止部、  ５１    アーム部材、
５２    取付部、  ５３    突出部材、  ５４    孔、  ５５    斜面部、
５６    係止凹部、  ５７    隙間。
【図１】
0003760598.tif 000002
【図２】
0003760598.tif 000003
【図３】
0003760598.tif 000004
【図４】
0003760598.tif 000005
【図５】
0003760598.tif 000006
【図６】
0003760598.tif 000007